(57)【要約】【課題】簡素な構成で、パーソナルユースでありながら多様な利用形態に柔軟に対応することのできる表示装置を提供する。【解決手段】視野角制限方向Ａにおいて視野角が制限された画面１０と、この画面１０における画像表示を制御する制御部２０とを備えている。制御部２０は、画面１０に表示された画像の正立方向Ｂが視野角制限方向Ａに対して略直交するパーソナルビューモードと、画像の正立方向Ｂが視野角制限方向Ａに略一致するマルチビューモードとを切替可能である。パーソナルビューモードでは、画面１０に正対する方向から使用者のみが独占的に画面１０を見ることができ、マルチビューモードでは、視野角制限方向Ａに略直交する比較的視野角の広い方向から複数人が一緒に画面１０を見ることができる。【選択図】        図２
2004279866.tif 000002
【特許請求の範囲】
【請求項１】
視野角が一次元方向において制限された画面と、
この画面に表示される画像の正立方向が前記視野角制限方向に対して略直交するパーソナルビューモードと、前記画像の正立方向が前記視野角制限方向に略一致するマルチビューモードとを切替可能な画像表示切替手段と
を備えたことを特徴とする表示装置。
【請求項２】
前記画像表示切替手段は、前記パーソナルビューモードと前記マルチビューモードとを切替えるためのモード切替スイッチを備えた
ことを特徴とする請求項１記載の表示装置。
【請求項３】
前記画面を含む本体部を備え、
前記画像表示切替手段は、前記本体部の姿勢の変化を感知する重力感知センサを有し、前記重力感知センサの感知結果に基づいて、前記視野角制限方向が水平方向に略一致する場合には前記パーソナルビューモードとし、前記視野角制限方向が水平方向に対して略直交する場合には前記マルチビューモードとする
ことを特徴とする請求項１記載の表示装置。
【請求項４】
前記画面を支持する支持部と、
前記画面を前記支持部に対して回転させる画面回転機構とを備え、
前記画像表示切替手段は、前記画面回転機構による前記画面の回転を感知する回転感知センサを備え、前記回転感知センサの感知結果に基づいて、前記視野角制限方向が水平方向に略一致する場合には前記パーソナルビューモードとし、前記視野角制限方向が水平方向に対して略直交する場合には前記マルチビューモードとする
ことを特徴とする請求項１記載の表示装置。
【請求項５】
前記支持部は据置可能である
ことを特徴とする請求項４記載の表示装置。
【請求項６】
前記画像表示切替手段は、画像の正立方向を９０度ずつ変化可能である
ことを特徴とする請求項１記載の表示装置。
【請求項７】
前記画像表示切替手段は、前記画像の正立方向を時計廻りまたは反時計廻りのうちの少なくとも一方に変化可能である
ことを特徴とする請求項６記載の表示装置。
【請求項８】
前記画像表示切替手段は、画像の正立方向と、画像の配置および縮尺のうちの少なくとも一方とを変化可能である
ことを特徴とする請求項１記載の表示装置。
【請求項９】
前記画面は、第１電極と第２電極との間に発光層を含む有機層を備えた有機発光素子を備えたことを特徴とする請求項１記載の表示装置。
【請求項１０】
前記有機発光素子の各々に対応して配設され、前記発光層で発生した光を屈折させる複数のマイクロプリズムと、
この複数のマイクロプリズムの間に配設され、前記複数のマイクロプリズムよりも屈折率の小さい材料により構成された補助プリズムと
を備えたことを特徴とする請求項９記載の表示装置。
【請求項１１】
前記有機発光素子の各々に対応して配設され、前記発光層で発生した光を集光する複数のマイクロレンズを備えた
ことを特徴とする請求項９記載の表示装置。
【発明の詳細な説明】
【０００１】
【発明の属する技術分野】
本発明は、例えば携帯電話，ＰＤＡ（Ｐｅｒｓｏｎａｌ  Ｄｉｇｉｔａｌ  Ａｓｓｉｓｔａｎｔ）などパーソナルユースのための電子機器に好適な表示装置に係り、特に、有機発光素子を用いた表示装置に関する。
【０００２】
【従来の技術】
携帯電話，ＰＤＡなどのパーソナルユースのための電子機器では、周囲の無関係な第三者により画面を覗き見られるのを防ぐため、視野角制限が施されている。視野角を制限するには、例えば市販のルーバーフィルムなどのスダレ状フィルターを画面の手前にかけるなどの方法が行われている。しかしながら、一つの表示装置を完全にパーソナルユースに限定してしまうことは、使用者にかえって不便という印象を抱かせるおそれがある。例えば、視野角制限が施された画面を複数人が異なる視角から見たいというような場合には、斜めからの視認性が低く画面が見づらくなってしまう。
【０００３】
なお、従来では、液晶表示装置の偏光板と液晶表示素子との間に、更に、液晶を用いた視野角可変素子を配設した提案がある（例えば、特許文献１参照。）。この提案では、視野角可変素子の液晶分子の配向方向を印加電圧の変化に応じて異ならせることにより、液晶表示装置の視野角を変化させ、真上方向以外から画像の認識ができない狭視野角表示モードと、通常の広視野角表示モードとを選択できるようにしている。
【０００４】
【特許文献１】
特開平９−１０５９５８号公報
【０００５】
【発明が解決しようとする課題】
しかしながら、上述のように別途視野角可変素子を備えることにより視野角そのものを可変とすると、特に携帯用機器の場合には、薄型化，軽量化あるいは省電力化などの要求に十分に応えられないという問題があった。
【０００６】
本発明はかかる問題点に鑑みてなされたもので、その目的は、簡素な構成で、パーソナルユースでありながら多様な利用形態に柔軟に対応することのできる表示装置を提供することにある。
【０００７】
【課題を解決するための手段】
本発明による表示装置は、視野角が一次元方向において制限された画面と、この画面に表示される画像の正立方向が視野角制限方向に対して略直交するパーソナルビューモードと、画像の正立方向が視野角制限方向に略一致するマルチビューモードとを切替可能な画像表示切替手段とを備えたものである。
【０００８】
本発明による表示装置では、画像の正立方向が視野角制限方向に対して略直交するパーソナルビューモードと、画像の正立方向が視野角制限方向に略一致するマルチビューモードとが、画像表示切替手段により切替えられる。
【０００９】
【発明の実施の形態】
以下、本発明の実施の形態について図面を参照して詳細に説明する。
【００１０】
〔第１の実施の形態〕
図１は、本発明の第１の実施の形態に係る表示装置の概略構造を表すものである。この表示装置は、ＰＤＡなどとして用いられるものであり、例えば、一次元の視野角制限方向Ａにおいて視野角が制限された画面１０と、この画面１０における画像表示を制御する制御部２０とを備えている。画面１０は、例えば、画面１０がはめ込まれる開口部３１が設けられた本体部３０に収納されている。本体部３０は、例えば、人の掌にほぼ収まる程度の大きさの薄い長方形の筐体状に形成されており、通常は図１に示したように縦長の状態で使用される。
【００１１】
画面１０は、例えば、後述するような有機発光素子を備えた有機発光ディスプレイパネルにより構成されている。この画面１０は、例えば、画面１０の大部分を占めるように表示されたメイン画像１１と、このメイン画像１１の左下方に並列して表示された例えば三つのサブ画像１２Ａ，１２Ｂ，１２Ｃとを表示するようになっている。画面１０は、通常は図１に示したように縦長の状態で使用され、メイン画像１１およびサブ画像１２Ａ，１２Ｂ，１２Ｃの正立方向Ｂが視野角制限方向Ａに略直交するパーソナルビューモードとなっており、これにより周囲の第三者から画面１０を覗き込まれるのを防止するようになっている。なお、サブ画像１２Ａ，１２Ｂ，１２Ｃの位置は左下方に限られない。また、サブ画像１２Ａ，１２Ｂ，１２Ｃの数は三つには限られず、必要に応じて、あるいは画面１０の寸法などに応じて増減可能であることは言うまでもない。更に、サブ画像１２Ａ，１２Ｂ，１２Ｃを表示せず、メイン画像１１のみを表示するようにしてもよい。
【００１２】
制御部２０は、例えば、図１に示したような画面１０に表示されたメイン画像１１およびサブ画像１２Ａ，１２Ｂ，１２Ｃの正立方向Ｂが視野角制限方向Ａに対して略直交するパーソナルビューモードと、図２に示したような正立方向Ｂが視野角制限方向Ａに略一致するマルチビューモードとを切替可能となっている。なお、このような制御部２０によるパーソナルビューモードとマルチビューモードとの切替のための変換処理回路（画像回転処理回路）は、制御部２０の画像表示処理集積回路に容易に組込可能である。この画像回転処理回路については後述する。
【００１３】
制御部２０は、パーソナルビューモードとマルチビューモードとを切替えるためのモード切替スイッチ２１を備えている。このモード切替スイッチ２１は、例えば、本体部３０に設けられたマニュアルボタンなどにより構成することができる。モード切替スイッチ２１は、例えば、使用者が１回押す毎にメイン画像１１およびサブ画像１２Ａ，１２Ｂ，１２Ｃの正立方向が９０度ずつ変化するように構成することが可能である。その場合、メイン画像１１およびサブ画像１２Ａ，１２Ｂ，１２Ｃの正立方向は、時計廻りに変化させるようにしても反時計廻りに変化させるようにしてもよく、両方に変化可能としておけば一層便利である。また、正立方向を１８０度変化させた倒立状態はスキップして、例えば時計廻りに９０度変化させた状態と２７０度（すなわち反時計廻りに９０度）変化させた状態とを切替えるようにしてもよい。
【００１４】
図３は、画面１０の構成の一例を表している。この画面１０は、例えば、駆動パネル１１０と封止パネル１２０とを対向配置し、接着層を兼ねるマイクロプリズムシート１３０により全面を貼り合わせて構成したものである。駆動パネル１１０は、ガラスなどの絶縁材料よりなる駆動用基板１１１の上に、赤色の光を発生する有機発光素子１１０Ｒと、緑色の光を発生する有機発光素子１１０Ｇと、青色の光を発生する有機発光素子１１０Ｂとが、順に全体としてマトリクス状に設けられている。
【００１５】
この有機発光素子１１０Ｒ，１１０Ｇ，１１０Ｂは、例えば、駆動用基板１１１の側から、陽極としての第１電極１１２、発光層を含む有機層１１３、および陰極としての第２電極１１４がこの順に積層されている。
【００１６】
第１電極１１２は、反射層としての機能も兼ねており、例えば、白金（Ｐｔ），金（Ａｕ），銀（Ａｇ），アルミニウム（Ａｌ），クロム（Ｃｒ）またはタングステン（Ｗ）などの金属または合金により構成されている。
【００１７】
有機層１１３は、有機発光素子の発光色によって構成が異なっている。有機発光素子１１０Ｒ，１１０Ｂは、正孔輸送層，発光層および電子輸送層が第１電極１１２の側からこの順に積層された構造を有しており、有機発光素子１１０Ｇは、正孔輸送層および発光層が第１電極１１２の側からこの順に積層された構造を有している。正孔輸送層は、発光層への正孔注入効率を高めるためのものである。発光層は、電流の注入により光を発生するものである。電子輸送層は、発光層への電子注入効率を高めるためのものである。
【００１８】
有機発光素子１１０Ｒの正孔輸送層の構成材料としては、例えば、ビス［（Ｎ−ナフチル）−Ｎ−フェニル］ベンジジン（α−ＮＰＤ）が挙げられ、有機発光素子１１０Ｒの発光層の構成材料としては、例えば、２，５−ビス［４−［Ｎ−（４−メトキシフェニル）―Ｎ−フェニルアミノ］］スチリルベンゼン―１，４−ジカーボニトリル（ＢＳＢ）が挙げられ、有機発光素子１１０Ｒの電子輸送層の構成材料としては、例えば、８−キノリノールアルミニウム錯体（Ａｌｑ３  ）が挙げられる。
【００１９】
有機発光素子１１０Ｂの正孔輸送層の構成材料としては、例えば、α−ＮＰＤが挙げられ、有機発光素子１１０Ｂの発光層の構成材料としては、例えば、４，４−ビス（２，２−ジフェニルビニン）ビフェニル（ＤＰＶＢｉ）が挙げられ、有機発光素子１１０Ｂの電子輸送層の構成材料としては、例えば、Ａｌｑ３  が挙げられる。
【００２０】
有機発光素子１１０Ｇの正孔輸送層の構成材料としては、例えば、α−ＮＰＤが挙げられ、有機発光素子１１０Ｇの発光層の構成材料としては、例えば、Ａｌｑ３  にクマリン６（Ｃ６；Ｃｏｕｍａｒｉｎ６）を１体積％混合したものが挙げられる。
【００２１】
第２電極１１４は、半透過性電極により構成されており、発光層で発生した光は第２電極１１４の側から取り出されるようになっている。第２電極１１４は、例えば、銀（Ａｇ），アルミニウム（Ａｌ），マグネシウム（Ｍｇ），カルシウム（Ｃａ），ナトリウム（Ｎａ）などの金属または合金により構成されている。
【００２２】
封止パネル１２０は、駆動パネル１１０の第２電極１１４の側に位置しており、マイクロプリズムシート１３０と共に有機発光素子１１０Ｒ，１１０Ｇ，１１０Ｂを封止する封止用基板１２１を有している。封止用基板１２１は、有機発光素子１１０Ｒ，１１０Ｇ，１１０Ｂで発生した光に対して透明なガラスなどの材料により構成されている。封止用基板１２１には、例えば、カラーフィルター１２２（１２２Ｒ，１２２Ｇ，１２２Ｂ）が設けられており、有機発光素子１１０Ｒ，１１０Ｇ，１１０Ｂで発生した光を取り出すと共に、有機発光素子１１０Ｒ，１１０Ｇ，１１０Ｂ並びにその間の配線において反射された外光を吸収し、コントラストを改善するようになっている。
【００２３】
マイクロプリズムシート１３０は、発光層で発生する光を屈折させることにより画面１０に視野角制限を施すためのものであり、後述する補助プリズム１４０よりも大きな屈折率ｎ１（例えば、ｎ１＝１．５９）を有する材料、例えばエポキシ系樹脂により構成されている。このマイクロプリズムシート１３０は、有機発光素子１１０Ｒ，１１０Ｇ，１１０Ｂの各々に対応して設けられ、発光層で発生した光を屈折させる複数のマイクロプリズム１３１を備えている。各マイクロプリズム１３１は、例えば断面が台形状に形成されているが、必ずしも台形に限られず、５角形などとしてもよい。
【００２４】
各マイクロプリズム１３１の間には、例えばＶ字状の溝１３２が設けられている。この溝１３２には補助プリズム１４０が埋め込まれている。補助プリズム１４０は、マイクロプリズムシート１３０よりも小さな屈折率ｎ２（例えば、ｎ２＝１．４０）を有する材料、例えばフッ素系樹脂により構成されている。このように高屈折率のマイクロプリズム１３１と低屈折率の補助プリズム１４０とを組み合わせることにより、図３の左端の有機発光素子１１０Ｒについて示したように、マイクロプリズム１３１と補助プリズム１４０との屈折率の差のため発光層で発生する光が画面１０に正対する方向に集光される。よって、視野角制限方向Ａにおいて画面１０の視野角を制限することができ、且つ画面１０に正対する方向の光量を増やして画面１０を正面から見た場合の輝度を高めることができる。
【００２５】
特に、図４に示したように有機発光素子１１０Ｒ，１１０Ｇ，１１０Ｂをインライン型に配置すると共に有機発光素子１１０Ｒ，１１０Ｇ，１１０Ｂのそれぞれを長方形とし、これに対応してマイクロプリズム１３１を設けるようにすれば、必然的に有機発光素子１１０Ｒ，１１０Ｇ，１１０Ｂの幅の広い方向と幅の狭い方向とで集光のされ方が非対称となり、幅の狭い方向に強い視野角制限を生じさせることができる。ここで、視野角をどのくらい制限するかは、例えばマイクロプリズム１３１の高さあるいは形状などにより調整することが可能である。
【００２６】
なお、マイクロプリズムシート１３０は、図４のように溝１３２を一次元方向に並べて設け、ライン状に並んだ同色の有機発光素子１１０Ｒ，１１０Ｇ，１１０Ｂごとに一本のマイクロプリズム１３１を対応させたたものでもよいし、図５のように溝１３２を縦横に設け、一つの有機発光素子１１０Ｒ，１１０Ｇ，１１０Ｂにそれぞれ一つのマイクロプリズム１３１を対応させたものでもよい。
【００２７】
次に、図６および図７を参照して、前述の画面を９０度回転させるための画像回転処理回路の一具体例について説明する。
【００２８】
この画像回転処理回路２００は、主として、ソースセレクタ２０１，フレームメモリ２０２ａ〜２０２ｃ，ＭＰＵ（Ｍｉｃｒｏ  ｐｒｏｃｅｓｓｉｎｇ  ｕｎｉｔ  ）２０３，メモリコントローラ２０４，ＶＲＡＭ（Ｖｉｄｅｏ  Ｒａｎｄｏｍ  Ａｃｃｅｓｓ  Ｍｅｍｏｒｙ）  ２０５，表示コントローラ２０６およびタイミングジェネレータ２０７により構成されている。ソースセレクタ２０１は、ＭＰＵ２０３からの指令に基づいて、入力された多数のソース画像から特定のメイン画像を選択するものである。フレームメモリ２０２ａ〜２０２ｃは、フル画像データを一時的に格納するもので、そのうちフレームメモリ２０２ｃはソースセレクタ２０１で選択されなかった直前の画像データを圧縮してサブ画像として格納するものである。
【００２９】
ＭＰＵ２０３は画像表示全体の制御を行うと共に、画面の９０度変換制御を統括して行うようになっている。メモリコントローラ２０４は、ＭＰＵ２０３からの各モードに応じた制御指令に基づいて、フレームメモリ２０２ａ〜２０２ｃに格納された画像データの読み出し順番を後述のように制御するものである。ＶＲＡＭ２０５はメモリコントローラ２０４の制御に基づいてフレームメモリ２０２ａ〜２０２ｃから読み出された表示データを一時的に格納するものである。表示コントローラ２０６は、ＶＲＡＭ２０５に格納された表示データをタイミングジェネレータ２０７から出力されるタイミングクロックに同期して表示パネル３００の表示ドライバ３０１へ出力する。タイミングジェネレータ２０７は、また、表示ドライバ３０１および表示パネル３００に対してもクロックを送出し、各部のタイミング制御を行うようになっている。
【００３０】
すなわち、この画像回転処理回路２００では、ＭＰＵ２０３がモード切替スイッチ２１（あるいは後述の重力感知センサ２２）から出力されるモード選択信号に応じて、正立画像（パーソナルモード）および９０度回転画像（マルチビューモード）のどちらを選択するかを判断する。一方、ソースセレクタ２０１は、ＭＰＵ２０３からの指令に基づいて入力した多数のソース画像からメイン画像（動画データ）を選択する。入力した画像データは、一旦、フレームメモリ２０２ａ，２０２ｂに取り込まれたのち、メモリコントローラ２０４により順次読み出しされてＶＲＡＭ２０６に格納される。そのうちＶＲＡＭ２０５に格納された動画データは表示コントローラ２０６を通して表示ドライバ３０１に出力され、表紙パネル３００の画面１０にメイン画像１１として表示される。ソースセレクタ２０１において選択されなかった画像データは、メモリコントローラ２０４の制御のもとに、フレームメモリ２０２ｃに圧縮して格納されたのち、同じくＶＲＡＭ２０５および表示コントローラ２０６を通して、表紙パネル３００の画面１０のサブ画像１２Ａ〜１２Ｃに静止画として表示される。なお、サブ画像１２Ａ〜１２Ｃの配置位置制御は、ＭＰＵ２０３からの指示に基づき表示コントローラ２０６により行われる。
【００３１】
ここで、フレームメモリ２０２ａ〜２０２ｃから画像データを読み出す順番は、ＭＰＵ２０３からの指令でメモリコントローラ２０４により制御される。すなわち、ＭＰＵ２０３が現在の状態はパーソナルモードであると判断した場合には、書き込みの順番と同じ順番で読み出しが行われて正立画像の表示がなされる。一方、ＭＰＵ２０３がマルチビューモードであると判断した場合には、画像が９０度回転されるように、パーソナルモードの場合とは画素の読み出し順番が変えられる。この点につき、図７を参照して説明する。
【００３２】
図７は、フレーム画像上の画素アドレスを概念的に示したものである。ここでは、左上から右方向一列、１ラインずつ下がって左から右方向へ、ｎ×ｍ画素のフレームデータ列Ｐ（１，１）、Ｐ（１，２）、・・・、Ｐ（１，ｎ）、Ｐ（２，１）、Ｐ（２，２）、・・・、Ｐ（２，ｎ）、・・・、Ｐ（ｍ，１）、・・・、Ｐ（ｍ，ｎ）が書き込まれている。パーソナルモードの場合には、上述のように書き込まれた順番に読み出され、正立画像が表示される。
【００３３】
これがマルチビューモードになると、９０度右回転モードでは、Ｐ（１，ｎ）、Ｐ（２，ｎ）、・・・、Ｐ（ｍ，ｎ）、Ｐ（１，ｎ−１）、Ｐ（２，ｎ−２）、・・・、Ｐ（１，１）、Ｐ（２，１）、・・・、Ｐ（ｍ，１）の順番に読み出され、また、９０度左回転モードでは、Ｐ（ｍ，１）、Ｐ（ｍ−１，１）、・・・、Ｐ（１，１）、Ｐ（ｍ，２）、Ｐ（ｍ−１，２）、Ｐ（２，１）、・・・、Ｐ（ｍ，ｎ）、Ｐ（ｍ−１，ｎ）、・・・、Ｐ（１，ｎ）の順番で読み出される。
【００３４】
この表示装置では、例えば、第１電極１１２と第２電極１１４との間に所定の電圧が印加されると、有機層１１３の発光層に電流が注入され、正孔と電子とが再結合することにより発光が起こる。この光は、マイクロプリズム１３１と補助プリズム１４０との屈折率の差により画面１０に正対する方向に集光され、画面１０の視野角制限方向Ａにおける視野角が制限される。本実施の形態では、制御部２０により、メイン画像１１およびサブ画像１２Ａ，１２Ｂ，１２Ｃの正立方向Ｂが視野角制限方向Ａに対して略直交するパーソナルビューモード（図１参照）と、正立方向Ｂが視野角制限方向Ａに略一致するマルチビューモード（図２参照）とが切替えられるので、パーソナルビューモードでは、画面１０に正対する方向から使用者のみが独占的に画面１０を見ることができ、マルチビューモードでは、視野角制限方向Ａに略直交する比較的視野角の広い方向から複数人が一緒に画面１０を見ることができる。
【００３５】
特に、本実施の形態では、パーソナルビューモードとマルチビューモードとを切替えるためのモード切替スイッチ２１を備えたので、必要に応じてパーソナルビューモードとマルチビューモードとを切替えることができ、利便性が向上する。
【００３６】
ここで、本実施の形態のようなＰＤＡの場合には、パーソナルビューモードとマルチビューモードとの切替えの際に、使用者が自ら手で容易に本体部３０の向きを変えて、画面１０を縦長にしたり横長にしたりすることができる。したがって、例えば、パーソナルビューモードでは画面１０を図１のような縦長の状態で使用し、マルチビューモードでは画面１０を図２のような横長の状態にすることなどが可能である。
【００３７】
このように本実施の形態では、画面１０に表示されるメイン画像１１およびサブ画像１２Ａ，１２Ｂ，１２Ｃの正立方向Ｂが視野角制限方向Ａに対して略直交するパーソナルビューモードと、正立方向Ｂが視野角制限方向Ａに略一致するマルチビューモードとを切替可能な制御部２０を備えたので、パーソナルビューモードでは、画面１０に正対する方向から使用者のみが独占的に画面１０を見ることができ、マルチビューモードでは、視野角制限方向Ａに略直交する比較的視野角の広い方向から複数人が一緒に画面１０を見ることができる。よって、本実施の形態の表示装置は、視野角制限により安心して個人的情報などを表示することができるパーソナルユースの表示装置であり、かつ複数人での利用などの多様な使用形態に対応できる。また、パーソナルビューモードあるいはマルチビューモードのいずれであっても視野角制限方向Ａおよび視野角制限範囲などは変わらないので、視野角可変素子などを搭載する必要はなく、構成が簡素化される。
【００３８】
〔第２の実施の形態〕
図８は、本発明の第２の実施の形態に係る表示装置の概略構造を表すものである。この表示装置は、制御部２０が、本体部３０の姿勢の変化を感知する重力感知センサ２２を有し、重力感知センサ２２の感知結果に基づいてパーソナルビューモードとマルチビューモードとを切替えるようにしたことを除き、第１の実施の形態で説明した表示装置と同一である。したがって、同一の構成要素には同一の符号を付して、その詳細な説明を省略する。
【００３９】
制御部２０は、例えば、重力感知センサ２２の感知結果に基づいて、視野角制限方向Ａが水平方向に略一致する場合にはパーソナルビューモードとし、視野角制限方向Ａが水平方向に略直交する場合にはマルチビューモードとするようになっている。これにより、例えば使用者が本体部３０を手で持って縦長から横長へ、あるいは横長から縦長へと向きを変えるだけで、パーソナルビューモードとマルチビューモードとが自動的に切替えられる。
【００４０】
なお、本実施の形態においては、モード切替スイッチ２１を省略することも可能である。
【００４１】
このように本実施の形態では、制御部２０が、本体部３０の姿勢の変化を感知する重力感知センサ２２を有し、重力感知センサ２２の感知結果に基づいて視野角制限方向Ａが水平方向に略一致する場合にはパーソナルビューモードとし、視野角制限方向Ａが水平方向に略直交する場合にはマルチビューモードとするようにしたので、パーソナルビューモードとマルチビューモードとの切替を自動的に行うことができる。
【００４２】
〔第３の実施の形態〕
図９は、本発明の第３の実施の形態に係る表示装置の概略構造を表す側面図である。この表示装置は、例えば、据置き型のディスプレイなどとして用いられるものであり、視野角が一次元の視野角制限方向において制限された画面４０と、この画面４０における画像表示を制御する制御部５０とを備えている。なお、画面４０の視野角制限方向は、図７の紙面に対して垂直な方向である。また、この表示装置は、画面４０を支持する支持部６０と、画面４０を支持部６０に対して回転させる画面回転機構６１とを備えている。
【００４３】
画面４０は、例えば、第１の実施の形態の画面１０と同様の構成を有している。制御部５０は、例えば、第１の実施の形態の制御部２０と同様に構成されている。
【００４４】
支持部６０は、画面４０の背面側に設けられ、机あるいは床などの平坦面上に据置可能となっている。画面回転機構６１は、画面４０を支持部６０に対して機械的に回転させるものであり、例えば、電気配線類を通すために回転中心が中空になったベアリング機構とディスプレイを所定回転角の位置で安定させるロック機構などにより構成されている。画面回転機構６１により画面４０を回転させるには、使用者による操作のためのボタン型スイッチ等を画面４０あるいはリモートコントローラなどに設けるようにすることなどが可能である。画面回転機構６１は、画面４０を例えば９０度ずつなど段階的に回転可能であってもよいし、連続的に回転可能であってもよい。
【００４５】
制御部５０は、画面回転機構６１による画面４０の回転を感知する回転感知センサ５１を有し、回転感知センサ５１の感知結果に基づいて視野角制限方向が水平方向に略一致する場合にはパーソナルビューモードとし、視野角制限方向が水平方向に略直交する場合にはマルチビューモードとするようになっている。
【００４６】
このように本実施の形態では、制御部５０が、画面４０の回転を感知する回転感知センサ５１を有し、回転感知センサ５１の感知結果に基づいて視野角制限方向Ａが水平方向に略一致する場合にはパーソナルビューモードとし、視野角制限方向Ａが水平方向に略直交する場合にはマルチビューモードとするようにしたので、第２の実施の形態と同様に、パーソナルビューモードとマルチビューモードとの切替を自動的に行うことができる。
【００４７】
〔第４の実施の形態〕
図１０は、本発明の第４の実施の形態に係る表示装置の画面１０の一例を表している。この表示装置は、有機発光素子１１０Ｒ，１１０Ｇ，１１０Ｂのそれぞれに対応して、発光層で発生した光を屈折させる複数のマイクロレンズ１５１を設けるようにしたことを除き、第１の実施の形態の表示装置と同様である。したがって、同一の構成要素には同一の符号を付して、その詳細な説明を省略する。
【００４８】
本実施の形態では、封止パネル１２０は、例えば、封止用基板１２１と、複数のマイクロレンズ１５１を有するマイクロレンズシート１５０とを駆動パネル１１０の側からこの順で積層した構成を有しており、駆動パネル１１０と封止パネル１２０とが、例えば熱硬化性樹脂あるいは紫外線硬化性樹脂などよりなる接着層１６０により貼り合わせられている。
【００４９】
マイクロレンズシート１５０は、シート１５２上にカラーフィルター１２２とマイクロレンズ１５１とがシート１５２の側からこの順で積層した構成とすることなどが可能である。
【００５０】
この表示装置では、図１０の左端の有機発光素子１１０Ｒについて示したように、発光層で発生する光は、マイクロレンズ１５１により、画面１０に正対する方向あるいは画面１０に正対する方向から僅かに傾いた方向へ集光される。よって、発光層で発光した光は、全体として画面１０に正対する方向およびその近傍の範囲に集光され、この範囲以外からは外光反射あるいはカラーフィルタ１２２の作用により画面１０の視認が困難となる。よって、視野角制限方向Ａにおいて画面１０の視野角を制限することができ、且つ画面１０に正対する方向の光量を増やして画面１０を正面から見た場合の輝度を高めることができる。
【００５１】
特に、有機発光素子１１０Ｒ，１１０Ｇ，１１０Ｂの間にアルミニウムなどの高反射性材料よりなる補助電極、または高反射性材料よりなる他の部品あるいはデバイスなどを設けるようにすれば、視野角制限特性をさらに高めることができる。
【００５２】
本実施の形態では、有機発光素子１１０Ｒ，１１０Ｇ，１１０Ｂの各々に対応して、発光層で発生した光を集光する複数のマイクロレンズ１５１を備えたので、第１の実施の形態と同様の効果を得ることができる。
【００５３】
以上、実施の形態を挙げて本発明を説明したが、本発明は上記実施の形態に限定されるものではなく、種々変形が可能である。例えば、上記実施の形態では、制御部２０，５０が、メイン画像１１およびサブ画像１２Ａ，１２Ｂ，１２Ｃの画面１０上における配置はそのままで正立方向のみを変化させる場合について説明したが、画面１０の縦と横とで寸法が異なるため、メイン画像１１およびサブ画像１２Ａ，１２Ｂ，１２Ｃの配置をそのままにして正立方向のみを変化させることが困難である場合も考えられる。そのような場合には、例えば、制御部２０，５０は、メイン画像１１およびサブ画像１２Ａ，１２Ｂ，１２Ｃの正立方向を変化させ、且つメイン画像１１またはサブ画像１２Ａ，１２Ｂ，１２Ｃの配置を変化させるようにしてもよい。あるいは、制御部２０，５０は、メイン画像１１およびサブ画像１２Ａ，１２Ｂ，１２Ｃの正立方向を変化させ、且つ縮尺を変化させるようにしてもよい。更に、制御部２０，５０は、メイン画像１１およびサブ画像１２Ａ，１２Ｂ，１２Ｃの正立方向と、配置および縮尺とを変化させるようにしてもよい。
【００５４】
また、第１の実施の形態および第２の実施の形態では、使用者が手で本体部３０の向きを変えるようにした場合について説明したが、第３の実施の形態のように、画面１０を本体部３０に対して機械的に回転させる画面回転機構を設け、これにより、本体部３０を縦長にしたままで画面１０を縦長にしたり横長にしたりすることができるようにしてもよい。
【００５５】
更に、例えば、上記実施の形態において説明した各部の構造あるいは材料などは限定されるものではなく、他の構造あるいは材料としてもよい。例えば、上記実施の形態では、画面１０の構造を具体的に例を挙げて説明したが、これに限られるものではない。例えば、第１の実施の形態では、マイクロプリズムシート１３０が接着層を兼ねるようにしたが、マイクロプリズムシート１３０とは別に接着層を形成するようにしてもよい。
【００５６】
加えて、例えば、第１の実施の形態、第２の実施の形態および第４の実施の形態では、本発明をＰＤＡに適用した場合を例として説明したが、本発明は携帯電話、ゲーム機，携帯テレビジョンなどの他のパーソナルユースのための電子機器にも適用可能である。
【００５７】
【発明の効果】
以上説明したように本発明の表示装置によれば、画面に表示される画像の正立方向が視野角制限方向に対して略直交するパーソナルビューモードと、正立方向が視野角制限方向に略一致するマルチビューモードとを切替可能な画像表示切替手段を備えるようにしたので、パーソナルビューモードでは、画面に正対する方向から使用者のみが独占的に画面を見ることができ、マルチビューモードでは、視野角制限方向に略直交する比較的視野角の広い方向から複数人が一緒に画面を見ることができる。よって簡素な構成で、パーソナルユースでありながら複数人での利用などの多様な使用形態に対応できる。
【図面の簡単な説明】
【図１】本発明の第１の実施の形態に係る表示装置の概略構成を表す斜視図である。
【図２】図１に示した表示装置において画像の正立方向を視野角制限方向に略直交させた状態を表す斜視図である。
【図３】図１に示した画面の一例を表す断面図である。
【図４】図３に示したマイクロレンズの一例を、有機発光素子と対応させて模式的に表す分解斜視図である。
【図５】図３に示したマイクロレンズの他の例を、有機発光素子と対応させて模式的に表す分解斜視図である。
【図６】画面切替処理回路の構成を表すブロック図である。
【図７】フレーム画像上の画素アドレスを概念的に表した図である。
【図８】本発明の第２の実施の形態に係る表示装置の概略構成を表す斜視図である。
【図９】本発明の第３の実施の形態に係る表示装置の概略構成を表す斜視図である。
【図１０】本発明の第４の実施の形態に係る表示装置の画面の概略構成を表す断面図である。
【符号の説明】
１０，４０…画面、１１…メイン画像、１２Ａ，１２Ｂ，１２Ｃ…サブ画像、２０，５０…制御部、２１…モード切替スイッチ、２２…重力感知センサ、３０…本体部、３１…開口部、５１…回転感知センサ、６０…支持部、６１…画面回転機構、１１０…駆動パネル、１１０Ｒ，１１０Ｇ，１１０Ｂ…有機発光素子、１１１…駆動用基板、１１２…第１電極、１１３…有機層、１１４…第２電極、１２０…封止パネル、１２１…封止用基板、１２２…カラーフィルター、１３０…マイクロプリズムシート、１３１…マイクロプリズム、１３２…溝、１４０…補助プリズム、１５０…マイクロレンズシート、１５１…マイクロレンズ、１５２…シート、１６０…接着層、Ａ…視野角制限方向、Ｂ…正立方向
【図１】
2004279866.tif 000003
【図２】
2004279866.tif 000004
【図３】
2004279866.tif 000005
【図４】
2004279866.tif 000006
【図５】
2004279866.tif 000007
【図６】
2004279866.tif 000008
【図７】
2004279866.tif 000009
【図８】
2004279866.tif 000010
【図９】
2004279866.tif 000011
【図１０】
2004279866.tif 000012